(57)【要約】【課題】分光装置における補正の煩雑さを軽減する。【解決手段】  顕微鏡２２０および共焦点ユニット２１０により蛍光を分光ユニットに入射させて得られた分光特性データに基づいて測定対象の分光特性を求める情報処理装置２５０を備える。情報処理装置２５０は、外部記憶装置２５４により、複数個の光学要素のそれぞれについての分光特性を、それぞれの要素対応に記憶する記憶手段を構成する。ＣＰＵ２５２により、使用する光学系に含まれる光学要素についての特定を受け付ける手段と、受け付けた光学要素を特定する情報に基づいて、記憶手段により記憶される、使用する光学要素についての分光特性情報を読み出して、当該使用する光学系が有する分光特性情報を求め、この分光特性情報と、分光ユニットから出力される分光特性データとを用いて、対象の分光特性を求める手段とを実現する。【選択図】図２
2006153764.tif 000002
【特許請求の範囲】
【請求項１】
少なくとも一部の光学要素について組合せの変更が可能であり、組合せの変更によって異なる光学特性を持つ光学系を構成することができる、光学要素群と、
前記光学系を透過した、測定対象からの出射光の分光特性を測定し、分光特性データを出力する分光ユニットと、
前記分光特性データに基づいて測定対象の分光特性を求める情報処理装置と、を備え、
前記情報処理装置は、
前記複数個の光学要素のそれぞれについての分光特性を、それぞれの光学要素に対応するように記憶する記憶手段と、
使用する光学系に含まれる光学要素についての特定を受け付ける手段と、
前記受け付けた光学要素を特定する情報に基づいて、前記記憶手段により記憶されている、使用する光学要素についての分光特性情報を読み出して、当該使用する光学系が有する分光特性情報を求め、この分光特性情報と、前記分光ユニットから出力される分光特性データとを用いて、対象の分光特性を求める手段と、
を有することを特徴とする分光装置。
【請求項２】
請求項１に記載の分光装置において、
前記光学要素の全部または一部が、顕微鏡を構成するものである分光装置。
【請求項３】
請求項１に記載の分光装置において、
前記光学要素が、顕微鏡の対物レンズであり、分光特性情報は、変更可能な各対物レンズのものである分光装置。
【請求項４】
請求項１、２および３のいずれか一項に記載の分光装置において、
前記情報処理装置の、使用する光学系に含まれる光学要素についての特定を受け付ける手段は、表示画面上に、光学系を構成する光学要素を表示すると共に、それらのうち、変更の選択がなされた光学要素に対応する変更可能な光学要素を示す変更候補を表示し、変更候補からいずれかの選択を受付、選択された光学要素を含む光学系の光学要素を特定する処理を行うこと、を特徴とする分光装置。
【請求項５】
請求項１から４のいずれか一項に記載の分光装置において、
前記記憶手段に、対物レンズおよび光学フィルタの少なくとも一方の分光特性を記憶させることを特徴とする分光装置。
【請求項６】
請求項１から４のいずれか一項に記載の分光装置において、
前記記憶手段に、回折格子の分光特性を記憶させるものであり、波長による回折効率、および、入射角ごとの回折効率のデータであることを特徴とする分光装置。
【発明の詳細な説明】
【技術分野】
【０００１】
本発明は、分光装置に関するものである。
【背景技術】
【０００２】
分光装置の分光感度の校正は、既知の波長および強度の光を出射する標準光源、または、既知の波長および強度の光を放出する標準物質を使い、実測して、その値を既知の値と比較することにより行う。そのため、分光装置に交換可能な光学要素がある場合には、その光学要素を使用する状態（組み合わせ）で校正を行わなければならない。従って、光学要素を交換（例えば、対物レンズを交換）した場合には、その都度、校正をやり直す必要がある。
【０００３】
【特許文献１】特開平１１−１２５５６２号公報
【発明の開示】
【発明が解決しようとする課題】
【０００４】
分光装置、特に、顕微鏡と組み合わせて使用する分光装置においては、交換可能な光学要素は、数も多く、その組合せも多い。そのため、分光感度の校正を行う場合、ユーザには、使用する組合せごとに実測するという手間が生じることとなる。従って、これまでの分光装置は、測定を行う際、使用者に補正の煩雑さを感じさせることになる。
【０００５】
本発明は、分光装置における補正の煩雑さを軽減するものである。
【課題を解決するための手段】
【０００６】
本願発明は、
少なくとも一部の光学要素について組合せの変更が可能であり、組合せの変更によって異なる光学特性を持つ光学系を構成することができる、光学要素群と、
前記光学系を透過した、測定対象からの出射光の分光特性を測定し、分光特性データを出力する分光ユニットと、
前記分光特性データに基づいて測定対象の分光特性を求める情報処理装置と、を備え、
前記情報処理装置は、
前記複数個の光学要素のそれぞれについての分光特性を、それぞれの光学要素に対応するように記憶する記憶手段と、
使用する光学系に含まれる光学要素についての特定を受け付ける手段と、
前記受け付けた光学要素を特定する情報に基づいて、前記記憶手段により記憶されている、使用する光学要素についての分光特性情報を読み出して、当該使用する光学系が有する分光特性情報を求め、この分光特性情報と、前記分光ユニットから出力される分光特性データとを用いて、対象の分光特性を求める手段と、
を有することを特徴とする。
【０００７】
本発明において、光学要素の全部または一部が、顕微鏡を構成するものとすることができる。また、光学要素が、顕微鏡の対物レンズであり、分光特性情報は、変更可能な各対物レンズのものとすることができる。
【０００８】
本発明において、情報処理装置の、使用する光学系に含まれる光学要素についての特定を受け付ける手段は、表示画面上に、光学系を構成する光学要素を表示すると共に、それらのうち、変更の選択がなされた光学要素に対応する変更可能な光学要素を示す変更候補を表示し、変更候補からいずれかの選択を受付、選択された光学要素を含む光学系の光学要素を特定する処理を行う構成とすることができる。
【０００９】
また、本発明において、記憶手段に、対物レンズおよび光学フィルタの少なくとも一方の分光特性を記憶させる構成とすることができる。
【００１０】
さらに、本発明において、記記憶手段に、回折格子の分光特性を記憶させる構成とすることができる。この場合、回折格子の分光特性を、波長による回折効率、および、入射角ごとの回折効率のデータとすることができる。
【発明の効果】
【００１１】
本発明により、光学要素を交換しても、その都度実測することなく、正しい分光感度を求めることのできる分光装置の提供が可能となる。
【発明を実施するための最良の形態】
【００１２】
以下、本発明の実施形態について図面を参照して説明する。図２に、本発明が適用される分光システムの構成を示す。
【００１３】
図２に示す分光システムは、光源系２００、共焦点ユニット２１０および顕微鏡２２０を有する共焦点顕微鏡２２０と、分光ユニット２３０と、情報処理装置２５０とを有する。共焦点ユニット２１０と分光ユニット２３０とは、ファイバカップラ２１７ａおよび２１７ｂを介して光ファイバ２１８により光学的に接続される。
【００１４】
共焦点顕微鏡２２０および分光ユニット２３０は、光学要素群から選ばれた光学要素を含む。光学要素群は、少なくとも一部の光学要素について組合せの変更が可能であり、組合せの変更によって異なる光学特性を持つ光学系を構成することができる。具体的には、光学要素群には、少なくとも一部の光学要素が変更可能な、一つの光学系を構成するための光学要素が用意されている。変更可能な光学要素としては、例えば、倍率に応じて交換される複数の対物レンズ（またはレンズ系）、回折格子等が挙げられる。この場合、対物レンズを交換することにより、異なる対物レンズ毎に、光学特性が異なる光学系が構成されることとなる。もちろん、他の光学要素について複数種の要素が用意されることもあり得る。その場合には、それぞれの組合せに対応した数の光学系を構成することが可能となる。なお、光学要素の組合せについての変更には、ある要素の交換に限られない。例えば、ある光学要素を、装着すること、および、非装着とすることのいずれかを選択するによって、組合せを変更するもできる。このような変更も行い得る光学要素として、例えば、光学フィルタ等が挙げられる。
【００１５】
光源系２００は、レーザ装置２０１と、光ファイバ２０３と、ファイバカップラ２０２および２０４とを有する。レーザ装置２０１は、例えば、波長の異なる複数台のレーザ光源を備え、目的の波長の照明光を出射する。照明光は、光ファイバ２０３を介して共焦点ユニット２１０に導かれる。なお、図２の例では、照明光として、標本を励起して蛍光を発光させるための励起光を出射する。
【００１６】
共焦点ユニット２１０は、光源系２００からの照明光を平行光とするコリメートレンズ２１１と、ダイクロイックミラー２１２と、走査ユニット２１３と、スキャナレンズ２１４と、集光レンズ２１５と、ピンホールを有する遮光板２１６と、を有する。
【００１７】
顕微鏡２２０は、対物レンズ２２２および第２対物レンズ２２１と、標本２２３を載せるステージ２２４とを有する。共焦点ユニット２１０と顕微鏡２２０とを組み合わせて共焦点顕微鏡が構成される。
【００１８】
分光ユニット２３０は、光ファイバ２１８から入射する観測光（図２の例では蛍光）を平行光とするコリメートレンズ２３１と、異なる溝本数（刻線数）を有する回折格子２３３、２３４および２３５と、それらを載せて、回転させる回転テーブル２３２と、回折格子２３３から２３５のいずれかから出射された回折光を集光する集光レンズ２３６と、複数のセンサアレーからなるアレー型検出器２３７と、アレー型検出器２３７を駆動する高圧電源２３８と、アレー型検出器の各センサの出力を、増幅すると共に、ディジタル値化して、検出データとして出力する検出回路２３９とを有する。
【００１９】
情報処理装置２５０は、検出回路２３９から出力される検出データを記憶するフレームメモリ２５１と、記憶されている検出データに基づいて目的の分光特性を演算する中央処理ユニット（ＣＰＵ）２５２と、表示装置２５３と、外部記憶装置２５４と、入力装置２５５と、スキャナ駆動回路２５６と、を有する。ＣＰＵ２５２は、図示していないが演算部と主記憶部とを有する。表示装置２５３には、例えば、液晶表示装置が用いられる。外部記憶装置２５４は、例えば、ハードディスク装置、光記録媒体記憶装置、半導体記憶装置等が用いられる。入力装置２５５は、例えば、キーボード、マウス等の機器を含む。
【００２０】
外部記憶装置２５４には、ＣＰＵ２５２の動作プログラムおよび各種データが記憶される。具体的には、複数個の光学要素のそれぞれについての分光特性を、それぞれの要素対応に記憶する記憶手段としての機能を有する。プログラムおよびあらかじめ与えられるデータは、例えば、図示しない、読み取り装置を用いてＣＤ−ＲＯＭ等の記憶媒体から読み出してインストールすることにより、外部記憶装置２５４に記憶される。
【００２１】
ＣＰＵ２５２は、外部記憶装置２５４に記憶されるプログラムをロードして、各種制御、演算処理等を行う。外部記憶装置２５４に記憶されるプログラムには、測定対象から得られたデータに基づいて分光特性を求める演算を行う手段と、使用する光学系に含まれる光学要素についての特定を受け付ける手段と、受け付けた光学要素を特定する情報に基づいて、記憶手段により記憶される、使用する光学要素についての分光特性情報を読み出して、当該使用する光学系が有する分光特性情報を求め、この分光特性情報と、前記分光ユニットから出力される分光特性データとを用いて、対象の分光特性を求める手段として、ＣＰＵ２５２を動作させるプログラムが含まれる。また、記憶装置と共に、複数個の光学要素のそれぞれについての分光特性を、それぞれの要素対応に記憶する記憶手段として、ＣＰＵ２５２を動作させるプログラムも含まれる。
【００２２】
ここで、対象の分光特性を求める手段は、分光装置ユニット２３０からの強度出力（測定値）をI0、光学要素の分光特性（分光透過率，分光反射率 等）をJ1，J2，J3，… Jn とし、正しい分光強度（絶対値）をIとすると、Iを、次式で求める演算を実行する。
【００２３】
I＝I0／(J1＊J2＊J3＊… Jn)
光学要素についての特定を受け付ける手段として機能する操作プログラムによる、使用する光学系を構成するための光学要素の特定は、例えば、設定画面（GUI）において行う構成とすることができる。例えば、プルダウンメニュー等の形式により、画面上にメニューを表示して、使用者の選択を受け付ける。図４に、設定画面の一例を示す。図４に示す操作画面２５３０では、メニューバー２５３１に用意された光学要素選択メニュー２５３２についてプルダウンした状態を示している。基本的な光学系を構成する光学要素が配列される主領域２５３３と、そのうち選択された光学要素について用意されている複数の要素を表示する副領域２５３６とが表示されている例を示す。図４の場合には、主領域２５３３には、光学系を構成する光学要素のうち、ユーザが変更可能なものが光学要素表示２５３４に列挙されている。
【００２４】
図４において、対物レンズが選択されているため、選択された状態を示す強調表示２５３４がなされている。この例では、強調表示２５３４として、枠表示の例を示している。また、選択された対物レンズについて副表示領域２５３６が隣接して表示されている。この副表示領域２５３６には、対物レンズの変更候補２５３７が複数列挙される。この場合、変更候補のうち既に選択されたもの（レンズＡＡＡ）を示す選択表示２５３８が表示されている。この選択表示２５３８として、本実施形態では、例えば、ｖ印が表示されている。ここでの選択は、予め行われている場合と、この分光装置を使用する者が自ら各光学要素について選択して、光学系の構成の設定を行う場合とがある。いずれにしても、設定された光学系の構成要素を特定する情報は、光学系設定ファイルとして外部記憶装置２５４において記憶される。この場合、便宜上、設定した組合せにより構成される光学系について名称を付して、他の光学系と区別する構成とすることができる。
【００２５】
光学系設定ファイルは、設定される毎に上書きして、常に、現時点で選択されている光学要素からなる光学系の設定のみを記録する構成とすることができる。また、光学系設定ファイルを、設定毎に異なるファイルとして記録し、いずれかの光学系を用いる場合には、記録されている設定ファイルを選択することにより、既存の設定を利用する構成とすることもできる。この場合には、改めて設定を行わずにすむので、使用者の手間をより一層省くことができる。また、分光装置のメーカが予め用意した標準のセットについて、光学系の光学系要素を設定して、標準設定ファイルとして用意することもできる。
【００２６】
ここで、他のレンズ、例えば、ＢＢＢを選択すると、ｖ印は、ＡＡＡの前の表示が消去され、新たに、ＢＢＢの前に表示される。これによって、レンズＢＢＢが選択されたことが示される。この情報は、ＣＰＵ２５２において把握され、使用される光学系の構成が変更されたことを検知する。すなわち、使用される光学系が新たに特定されることとなる。変更された結果、新たな光学系の構成要素を特定する情報は、前述したように、外部記憶装置２５４に記憶される。光学要素の変更は、一つの光学要素に限られない。他の光学要素を含めて２以上の光学要素について変更することができる。例えば、回折格子については、図２に示すように、本実施形態では、３種類用意されている。このいずれを選ぶかで分光特性が異なる。本実施形態では、回折格子のパラメータは、予め装置内に格納されている。ユーザは、操作ソフトウェア上から分解能を指定するのみで、回折効率等のデータは、ユーザ設定画面には表示されない。
【００２７】
なお、ある光学要素において、非装着とすることが可能な場合には、副表示領域２５３６において、変更候補として、“非装着”という表記を表示して、選択可能とすることができる。
【００２８】
次に、各光学要素の分光特性のデータは、それぞれ独立であり、図１に示すような離散的なディジタルデータとして与えられる。それぞれのデータは、対応する光学要素と対応づけて、例えば、外部記憶装置２５４により記憶される。また、光学系を構成する光学要素について、それぞれを特定する毎に、インターネット等のネットワークを介して、当該光学要素の提供者のサイトから分光特性データをダウンロードすることにより取得する構成としてもよい。このように、例えば、光学要素のメーカのＷｅｂサイトから分光特性データを入手できるようにしておくと、光学要素を新たに追加した場合に、分光特性のデータの入手が容易となり、便利である。この場合、提供メーカは、ダウンロード対象となる分光特性データを収容したファイルを暗号化して提供することにより、特定の分光装置においてのみ使用できるよう制限することが可能となる。
【００２９】
なお、分光特性データは離散的である。そのため、波長の値によっては、分光特性のデータがない場合がある。この場合には、補完演算により値を求める。
【００３０】
次に、本実施形態の動作について、図５に示すフローチャートを参照して説明する。本実施例の場合、交換可能な光学要素として、共焦点ユニット本体２１０と共焦点ユニット内のダイクロイックミラー２１２、および、顕微鏡本体２２０と対物レンズ２２２と、が挙げられる。また、分光ユニット２３０内の回折格子も３種類あり、それぞれの分光特性（入射波長による回折効率（図３に示す）および、入射角度による回折効率）が異なるが、その分光特性データも、当該光学系を構成する他の光学要素についての分光特性データと共に、前述した記憶手段により、外部記憶装置に格納されている。なお、本実施形態では、予めシステムが用意した標準の光学系の設定がなされているものとする。すなわち、光学系設定ファイルとして、標準設定ファイルが用意されている。
【００３１】
測定に先立ち、情報処置装置２５０により、使用する光学系を構成する光学要素を選択して、光学系設定ファイルを作成する処理を行う。そのためのプログラムが起動され、ＣＰＵ２５２は、図４に示すような操作画面２５３０を表示装置２５３に表示する（ステップＳ１）。この操作画面２５３０において、使用者からの選択指示を受け付ける。ＣＰＵ２５２は、操作指示について、要素変更指示操作か、測定開始指示かを判断する（ステップＳ２）。
【００３２】
ここで、操作画面２５３０において、光学系設定プルダウンメニュー２５３２が選択されると、図４に示すように、メニューバー２５３１に用意された光学要素選択メニュー２５３２についてプルダウンした状態が、ＣＰＵ２５２により表示装置２５３の表示画面上に表示され、光学系の設定の受付を行う（ステップＳ３）。すなわち、基本的な光学系を構成する光学要素が配列される主領域２５３３が表示される。ここで、変更可能な光学要素について、使用者が入力装置２５５を介して選択を行うと、ＣＰＵ２５２は、選択操作を受け付けて、その光学要素について、さらに、用意されている複数の要素を表示する副領域２５３６とを表示させる。図４の場合には、主領域２５３３には、光学系を構成する光学要素表示２５３４が列挙されている。
【００３３】
ＣＰＵ２５２は、副表示領域２５３６として、選択可能な光学要素の表示を、主表示領域２５３３に隣接して表示させる。この副表示領域２５３６には、対物レンズの変更候補２５３７が複数列挙される。ここで、使用者が、いずれかの変更候補について、入力装置２５５を介して選択指示すると、ＣＰＵ２５２は、それを受け付けて、これまでの選択表示２５３８を、新たに選択された変更候補に対応づけて表示させる。また、変更された光学要素が、これまでの光学要素に代えて、光学系を構成するものであることを、光学系設定ファイルに記録する。その後、ＣＰＵ２５２と外部記憶装置２５４とが記憶手段として機能し、光学系設定ファイルを外部記憶装置２５４に保存する。
【００３４】
なお、光学系設定ファイルへの記録は、上書きの場合と、新たにファイルを設ける場合とがある。いずれとするかは、例えば、当該設定ファイルを保存する際、画面上に、上書き保存するか、ファイルの名称を変更するかの、問い合わせメッセージを操作画面２５３０に表示させ、使用者の意思に従って決める構成とすることができる。もちろん、予めシステムにおいて、いずれの方式とするかを決めておき、使用者かが特別に指示がないかりぎ、システムにおいて決められている方式に従って、光学系設定データを保存することとする。
【００３５】
このようにして、他の光学要素について、同様に、現在選択されている光学要素を、そのまま光学系を構成する要素とするか、他の要素に変更するかの、選択を行うことができる。
【００３６】
図４において、対物レンズが選択されているため、選択された状態を示す強調表示２５３４がなされている。この例では、強調表示２５３４として、枠表示の例を示している。また、選択された対物レンズについて副表示領域２５３６が隣接して表示されている。この場合、変更候補のうち既に選択されたもの（レンズＡＡＡ）を示す選択表示２５３８が表示されている。この選択表示２５３８として、本実施形態では、例えば、ｖ印が表示されている。ここでの選択は、予め行われている場合と、この分光装置を使用する者が自ら各光学要素について選択して、光学系の構成の設定を行う場合とがある。いずれにしても、設定された光学系の構成要素を特定する情報は、光学系設定ファイルとして外部記憶装置２５４において記憶される。この場合、便宜上、設定した組合せにより構成される光学系について名称を付して、他の光学系と区別する構成とすることができる。
【００３７】
一方、光学系の構成を変更しない場合、また、変更指示を終了した場合、使用者は、図４に示す操作画面２５３０に用意されている“測定開始”ボタン２５３９をクリックすることにより、測定開始を指示することができる。これにより、ＣＰＵ２５２は、測定開始の指示入力を受け付ける。その後、予め定めた制御シーケンスに従って、測定シーケンスの制御処理を行う（ステップＳ５）。測定シーケンスを実行することによって得られた測定データは、情報処理装置２５２のフレームメモリ２５１に格納される。ＣＰＵ２５２は、以下に述べるように、光学要素の分光特性と、フレームメモリ２５１に格納されたデータとを用いて、情報処理装置２５２は、分光特性情報を演算する（ステップＳ６）。
【００３８】
測定シーケンス制御処理では、光源系２００のシャッタを開けて、照明光の照射を開始する。また、走査ユニット２１３およびスキャナレンズ２１４により測定対象の標本２２３をスキャンするため、スキャナ駆動回路２５６の駆動制御を行う。さらに、高圧電源２３８を制御して、アレー型センサ２３７に受光動作を行わせると共に、検出回路２３９によりアレー型センサ２３７において検出した信号を増幅すること、および、検出信号をアナログからディジタル値に変換することを行って、情報処理装置２５０に出力する。測定は、具体的には、次のように測定が行われる。
【００３９】
光源であるレーザ２０１から出射されたレーザ光（励起光）はファイバカプラ２０２を介して光ファイバ２０３に導入される。光ファイバ２０３の他端はファイバカプラ２０４を介して顕微鏡２２０に搭載された共焦点ユニット２１０に取り付けられており、光ファイバ２０３の一端から出射されたレーザ光はコリメートレンズ２１1で平行光束となりダイクロイックミラー２１２で反射され、直交配置された２つのガルバノメータからなる走査ユニット２１３およびスキャナレンズ２１４に導入されて、二次元的に走査される。走査されたレーザ光は、第2対物レンズ２２１を通り、対物レンズ２２２で集められ、標本２２３上の１点に集光される。標本２２３から発せられた蛍光は対物レンズ２２２で集められ、励起光と逆の順路をたどり、ダイクロイックミラー２１２に到達する。ダイクロイックミラー２１２に到達した蛍光はダイクロイックミラー２１２を透過し、集光レンズ２１５で開口のある遮光板２１６上に集光される。
【００４０】
ファイバカプラ２１７ａは、この開口のさらに先に配置されているため、この開口を通過できた光のみがファイバカプラ2１７ａに到達できる。ここで、開口上にできる集光点は標本上での光スポットの像となっているため、標本上の他の点から発した光がたとえあったとしても、開口上では像を結ばず遮光板で遮られファイバカプラ2１７にほとんど到達できない。この結果、走査型共焦点顕微鏡では高い横分解能だけでなく、高い縦分解能を持って標本を観察できる顕微鏡となっている。
【００４１】
ファイバカプラ２１７ａに入射した蛍光は、光ファイバ２１８を介して、分光ユニット２３０に導入される。分光ユニット２３０に導入された蛍光は、コリメートレンズ２３１で平行光束となり回折格子２３３、２３４および２３５のいずれかに導入される。回折格子は波長分解能を可変とするために３種類用意され、パルスモータ制御で回転する回転テーブル２３２上に配置され、任意の回折格子が１つ選択可能となっている。
【００４２】
回折格子で回折した蛍光は集光レンズ２３６で集光され、回折格子の波長分解能に応じた拡がり角でアレー型検出器２３７に入射する。入射した蛍光は検出器の光電効果により電気信号に変換される。変換された電気信号は増幅器２３９ａにより増幅され、A／D変換器２３９ｂでディジタル信号に変換されてフレームメモリ２５１に送られ、ＣＰＵ２５２で演算，処理されて画像として表示される。
【００４３】
ここで、測定された分光感度をI 0、共焦点ユニットの分光特性をJ1、ダイクロイックミラーの分光特性（分光透過率）をJ2、顕微鏡本体の分光特性（分光透過率）をJ3、対物レンズの分光特性（分光透過率）をJ4 、および、分光装置の分光特性をJ5とすると、正しい分光感度（絶対値）Iは、
I＝I0／(J1＊J2＊J3＊J4＊J5) 
で求められる。これらの演算は、ＣＰＵ２５２により行われる。この演算の結果、感度校正された輝度値が画像として表示される。ここで、J1〜J5  までの特性値は、それぞれ前述した光学系設定ファイルに格納されている値であり、ファイルから読み出して用いる。なお、これらの値は、光学要素毎に異なっているため、使用している光学要素に対応したものが用いられる。
【００４４】
以上のようにして、対象標本が発生する蛍光についての分析が終わった後、光学系の光学要素の一部を変更する場合には、前述した手順に従って、操作画面において、光学要素の変更を登録する。ただし、実際の光学系の対応する光学要素を、変更すべき光学要素に入れ替えることが必要である。
【００４５】
以上に説明した実施形態では、各光学要素対応に分光特性データを有する場合を例としたが、本発明はそれに限定されない。すなわち、光学要素について記憶される分光特性情報として、個別実測データではなく、各光学要素の型番、ロット番号で管理される代表的な特性値を、それぞれの光学要素の分光特性として用いることも可能である。そのようにすると、個別的測定を省くことができる。
【図面の簡単な説明】
【００４６】
【図１】図１は光学要素の分光特性の一例を示すグラフ。
【図２】図２は本発明の一実施形態が適用される分光システムの構成の一例を示すブロック図。
【図３】図３は回折格子の分光特性（回折効率）の一例を示すグラフ。
【図４】図４は本発明の一実施形態において、光学系の光学要素の特定を行うための操作画面の一例を示す説明図。
【図５】図５は本発明の実施形態における測定処理の流れを示すフローチャート。
【符号の説明】
【００４７】
２００…光源系、２０１…レーザ光源、２１０…共焦点ユニット、２１１…コリメートレンズ１、２１２…ダイクロイックミラー、２１３…走査ユニット、２１４…スキャナレンズ、２１５…集光レンズ、２１６…遮光板、２１７ａ、２１７ｂ…ファイバカプラ、２１８…光ファイバ、２２０…顕微鏡、２２１…第2対物レンズ、２２２…対物レンズ、２２３…標本、
２２４…ステージ、２３０…分光ユニット、２３１…コリメートレンズ、２３２…回転テーブル、２３３…回折格子、２３４…回折格子、２３５…回折格子、２３６…集光レンズ、２３７…アレー型検出器、２３９ａ…増幅器、２３９ｂ…Ａ／Ｄ変換器、２２８…高圧電源、２５０…情報処理装置、２５１…フレームメモリ、２５２…ＣＰＵ、２５３…表示装置、２５４…外部記憶装置、２５５…入力装置、２５６…スキャナ駆動回路。
【図１】
2006153764.tif 000003
【図２】
2006153764.tif 000004
【図３】
2006153764.tif 000005
【図４】
2006153764.tif 000006
【図５】
2006153764.tif 000007